(57)【要約】【課題】液体貯留タンクにおける浄化剤の早期の消耗を抑制できる二酸化炭素施用装置を提供する。【解決手段】本開示の一態様は、燃焼排ガスに含まれる二酸化炭素を農業用ハウス内に供給する二酸化炭素施用装置である。二酸化炭素施用装置は、化合物を含む液体を貯留し、燃焼排ガスが液体中を通過するように構成された液体貯留タンクと、燃焼排ガスを液体貯留タンクに取り込む取込流路と、液体中を通過した燃焼排ガスを液体貯留タンクの下流側に供給する供給流路と、を備える。液体貯留タンクは、化合物を液体に供給する浄化剤を収納する。取込流路は、液体貯留タンク内の液体中に燃焼排ガスを放出する取込配管を有する。液体貯留タンクは、液体中に配置される整流部を有する。整流部は、液体貯留タンク内において、浄化剤の収納位置よりも取込配管に対して燃焼排ガスの流れ方向における上流側に配置され、取込配管から放出される燃焼排ガスを分散する。【選択図】図２
2019041648.tif 000002
【特許請求の範囲】
【請求項１】
燃焼排ガスに含まれる二酸化炭素を農業用ハウス内に供給する二酸化炭素施用装置であって、
化合物を含む液体を貯留し、燃焼排ガスが前記液体中を通過するように構成された少なくとも１つの液体貯留タンクと、
前記燃焼排ガスを前記少なくとも１つの液体貯留タンクに取り込む取込流路と、
前記液体中を通過した前記燃焼排ガスを前記液体貯留タンクの下流側に供給するように構成された供給流路と、
を備え、
前記液体貯留タンクは、前記化合物を前記液体に供給する浄化剤を収納し、
前記取込流路は、前記少なくとも１つの液体貯留タンク内の前記液体中に前記燃焼排ガスを放出する取込配管を有し、
前記少なくとも１つの液体貯留タンクは、前記液体中に配置される整流部を有し、
前記整流部は、前記少なくとも１つの液体貯留タンク内において、前記浄化剤の収納位置よりも前記取込配管に対して前記燃焼排ガスの流れ方向における上流側に配置され、前記取込配管から放出される前記燃焼排ガスを分散する、二酸化炭素施用装置。
【請求項２】
請求項１に記載の二酸化炭素施用装置であって、
前記整流部は、前記燃焼排ガスの分散によって、前記浄化剤に向かう前記液体の流れを形成するように構成されている、二酸化炭素施用装置。
【請求項３】
請求項２に記載の二酸化炭素施用装置であって、
前記取込配管は、前記液体中において鉛直方向下方から上方に向かって前記燃焼排ガスを放出し、
前記少なくとも１つの液体貯留タンクは、前記整流部として、前記取込配管の開口端から放出される前記燃焼排ガスが衝突するプレートを有する、二酸化炭素施用装置。
【請求項４】
請求項３に記載の二酸化炭素施用装置であって、
前記少なくとも１つの液体貯留タンクは、前記浄化剤を収納するケースをさらに有し、
前記ケースは、前記プレートの上に配置されると共に、少なくとも上方に開口を有する、二酸化炭素施用装置。
【請求項５】
請求項１から請求項４のいずれか１項に記載の二酸化炭素施用装置であって、
前記浄化剤は、前記少なくとも１つの液体貯留タンクから取り出し可能に構成された容器内に保持される、二酸化炭素施用装置。
【発明の詳細な説明】
【技術分野】
【０００１】
本開示は、二酸化炭素施用装置に関する。
【背景技術】
【０００２】
園芸植物の収率及び品質を向上させるため、二酸化炭素を農業用ハウス内に施用する二酸化炭素施用装置が公知である。一方で、農業用ハウスには、夜間の気温低下を防止するための加温機が設けられる。加温機は、重油や灯油等を燃焼して温風を農業用ハウスに供給する。
【０００３】
そこで、加温機から発生する燃焼排ガス中の二酸化炭素を回収及び貯留し、任意のタイミングで二酸化炭素を農業用ハウス内に供給する二酸化炭素施用装置が考案されている（特許文献１参照）。
【０００４】
この二酸化炭素施用装置では、燃焼排ガスを液体貯留タンク内の液体に通過させて浄化した後に、吸着タンクによって燃焼排ガス中の二酸化炭素を吸着する。上記液体貯留タンクには、内部の液位を一定に保つために、液体貯留タンク内の圧力によって作動する排水路が設けられている。
【０００５】
吸着タンクに吸着された二酸化炭素は、例えば昼間に吸着タンクから脱離され、農業用ハウス内に施用される。
【先行技術文献】
【特許文献】
【０００６】
【特許文献１】特開２０１５−１４２５３１号公報
【発明の概要】
【発明が解決しようとする課題】
【０００７】
上記二酸化炭素施用装置の液体貯留タンク内の液体には、燃焼排ガス中の有害物質と反応する化合物が含まれる。また、液体貯留タンク内には、液体に化合物を供給する浄化剤が設置される。液体中には、液体中の化合物と燃焼排ガス中の有害物質との化学反応により、燃焼排ガスが浄化される。
【０００８】
上記二酸化炭素施用装置では、燃焼排ガスが液体貯留タンク内の液体を通過する際にバブリング等によって浄化剤が激しく揺動させられる。その結果、浄化剤が分解し、早くに消耗してしまう。
【０００９】
本開示の一局面は、液体貯留タンクにおける浄化剤の早期の消耗を抑制できる二酸化炭素施用装置を提供することを目的とする。
【課題を解決するための手段】
【００１０】
本開示の一態様は、燃焼排ガスに含まれる二酸化炭素を農業用ハウス内に供給する二酸化炭素施用装置である。二酸化炭素施用装置は、化合物を含む液体を貯留し、燃焼排ガスが液体中を通過するように構成された少なくとも１つの液体貯留タンクと、燃焼排ガスを少なくとも１つの液体貯留タンクに取り込む取込流路と、液体中を通過した燃焼排ガスを液体貯留タンクの下流側に供給するように構成された供給流路と、を備える。少なくとも１つの液体貯留タンクは、化合物を液体に供給する浄化剤を収納する。取込流路は、少なくとも１つの液体貯留タンク内の液体中に燃焼排ガスを放出する取込配管を有する。少な
くとも１つの液体貯留タンクは、液体中に配置される整流部を有する。整流部は、少なくとも１つの液体貯留タンク内において、浄化剤の収納位置よりも取込配管に対して燃焼排ガスの流れ方向における上流側に配置され、取込配管から放出される燃焼排ガスを分散する。
【００１１】
このような構成によれば、液体貯留タンクの液体内に圧送される燃焼排ガスの勢いが低減されるので、燃焼排ガスがバブリング時に激しく浄化剤に衝突することが避けられる。これにより、浄化剤が分解したり液体貯留タンク内を回動したりすることが抑制され、浄化剤が含む化合物の液体貯留タンク内での分散が抑制される。その結果、液体貯留タンクにおける浄化剤の早期の消耗を抑制できる。
【００１２】
本開示の一態様では、整流部は、燃焼排ガスの分散によって、浄化剤に向かう液体の流れを形成するように構成されていてもよい。このような構成によれば、浄化剤の分解及び回動を抑制しつつ、液体への化合物の供給効率を高めることができる。その結果、燃焼排ガスの浄化効果を高めることができる。
【００１３】
本開示の一態様では、取込配管は、液体中において鉛直方向下方から上方に向かって燃焼排ガスを放出してもよい。少なくとも１つの液体貯留タンクは、整流部として、取込配管の開口端から放出される燃焼排ガスが衝突するプレートを有してもよい。このような構成によれば、浄化剤の分解及び回動を抑制しつつ、容易かつ確実に燃焼排ガスの浄化効果を高めることができる。
【００１４】
本開示の一態様では、少なくとも１つの液体貯留タンクは、浄化剤を収納するケースをさらに有してもよい。また、ケースは、プレートの上に配置されると共に、少なくとも上方に開口を有してもよい。このような構成によれば、より確実に浄化剤の分解及び回動を抑制できる。
【００１５】
本開示の一態様では、浄化剤は、少なくとも１つの液体貯留タンクから取り出し可能に構成された容器内に保持されてもよい。このような構成によれば、浄化剤の分解及び回動を抑制しつつ、浄化剤の交換作業の効率を高めることができる。
【図面の簡単な説明】
【００１６】
【図１】図１は、実施形態における二酸化炭素施用装置の構成を概略的に示すブロック図である。
【図２】図２は、図１の二酸化炭素施用装置の液体貯留タンク及び取込配管を示す模式図である。
【図３】図３は、図２の液体貯留タンクが有するプレートを示す模式的な斜視図である。
【図４】図４は、図２とは異なる実施形態における液体貯留タンク及び取込配管を示す模式図である。
【図５】図５は、図２及び図４とは異なる実施形態における液体貯留タンク及び取込配管を示す模式図である。
【発明を実施するための形態】
【００１７】
以下、本開示が適用された実施形態について、図面を用いて説明する。
［１．第１実施形態］
［１−１．構成］
図１に示す二酸化炭素施用装置１は、燃焼排ガスに含まれる二酸化炭素を回収し、農業用ハウス内に供給するための装置である。二酸化炭素施用装置１は、農業用ハウスの内部又は外部に配置される。
【００１８】
二酸化炭素施用装置１は、燃焼装置２と、第１液体貯留タンク３と、第２液体貯留タンク４と、ブロワ５と、吸着タンク６と、制御部７とを備える。
また、二酸化炭素施用装置１は、排ガス流路１０と、第１取込流路１１と、冷却空気流路１２と、第２取込流路１３と、施用空気流路１４と、供給流路１５とを備える。
【００１９】
＜燃焼装置＞
燃焼装置２は、主に夜間、重油や灯油等の燃料を燃焼させ、農業用ハウス内の空気を温める装置である。燃焼排ガスは、煙突である排ガス流路１０を介して農業用ハウス外に排出される。
【００２０】
＜第１液体貯留タンク＞
第１液体貯留タンク３は、燃焼装置２から発生した燃焼排ガスの一部を液体Ｌによって冷却及び浄化するための装置である。
【００２１】
第１液体貯留タンク３は、内部に液体Ｌを貯留している。また、第１液体貯留タンク３は、燃焼装置２で発生した燃焼排ガスを取り込み、取り込んだ燃焼排ガスが液体Ｌ中を通過するように構成されている。燃焼排ガスは、液体Ｌとの熱交換により冷却されると共に、液体Ｌに含まれる化合物によって含有する成分の一部が取り除かれる。なお、第１液体貯留タンク３内に貯留されている液体Ｌの体積は、第１液体貯留タンク３の容積よりも小さい。
【００２２】
具体的には、第１液体貯留タンク３には、第１取込流路１１が接続されており、第１取込流路１１から液体Ｌ中に燃焼排ガスが供給される。第１取込流路１１は、排ガス流路１０に接続され、燃焼排ガスを取り込んでいる。第１取込流路１１内には、第１液体貯留タンク３内の液面と同じ位置まで液体Ｌが進入している。
【００２３】
第１取込流路１１は、取込配管１１Ａを有する。取込配管１１Ａは、第１液体貯留タンク３内の液体Ｌ中に燃焼排ガスを放出する。取込配管１１Ａ内には、第１液体貯留タンク３内の液面と同じ位置まで液体Ｌが進入している。
【００２４】
本実施形態では、取込配管１１Ａの端部は、第１液体貯留タンク３の底面に接続されている。具体的には、取込配管１１Ａの開口端が、第１液体貯留タンク３の底面に設けられた開口に接続されている。取込配管１１Ａは、液体Ｌ中において鉛直方向下方から上方に向かって燃焼排ガスを放出する。
【００２５】
液体Ｌ中に供給された燃焼排ガスは、液体Ｌ中を気泡となって浮上する。つまり、バブリングが行われる。液体Ｌ中を通過した燃焼排ガスは、第２取込流路１３によって、第２液体貯留タンク４に取り込まれる。
【００２６】
第１液体貯留タンク３に貯留される液体Ｌとしては、燃焼排ガス中に含まれる硫化物や窒化物等の有害物質を除去できるものが好ましい。例えば、硫化物や窒化物と反応する化合物の水溶液が液体Ｌとして好適に使用できる。
【００２７】
第１液体貯留タンク３は、図２に示すように、化合物を液体Ｌに供給する浄化剤Ｃを収納している。また、第１液体貯留タンク３は、燃焼排ガス及び液体Ｌの流れを調整する整流部としてのプレート３１を有する。また、第１液体貯留タンク３は、ケース３２を有する。
【００２８】
プレート３１は、液体Ｌ中に、取込配管１１Ａの開口端と対向して配置されている。具
体的には、プレート３１は、板面が水平方向となる向き（つまり第１液体貯留タンク３の底面と平行となる向き）で、第１液体貯留タンク３の底面と離間した位置に配置されている。また、プレート３１の平面形状は、第１液体貯留タンク３の内部の断面形状と一致する。つまり、プレート３１は、第１液体貯留タンク３を上下方向に仕切るように配置されている。
【００２９】
本実施形態では、第１液体貯留タンク３は円筒状である。そのため、プレート３１は、図３に示すように、直径が第１液体貯留タンク３の内径と等しい円盤である。また、プレート３１は、衝突面３１Ａと、衝突面３１Ａの周囲に配置された整流面３１Ｂと、を有する。
【００３０】
衝突面３１Ａは、取込配管１１Ａの開口端と対向し、取込配管１１Ａの開口端から放出される燃焼排ガスが衝突する無孔の面である。整流面３１Ｂには、複数の貫通孔３１Ｃが設けられている。各貫通孔３１Ｃの径は、取込配管１１Ａの内径よりも小さく、例えば１ｍｍ以上１０ｍｍ以下である。
【００３１】
本実施形態では、取込配管１１Ａは、第１液体貯留タンク３の底面の中央に接続されている。そのため、衝突面３１Ａはプレート３１の中央部分に設けられ、衝突面３１Ａの周囲を取り囲むように整流面３１Ｂが設けられている。
【００３２】
ただし、取込配管１１Ａは、必ずしも底面の中央に接続される必要はなく、任意の位置に接続可能である。衝突面３１Ａの位置は、取込配管１１Ａの開口端の位置に合わせて適宜設計される。また、衝突面３１Ａの面積は、取込配管１１Ａの開口端の面積以上が好ましい。
【００３３】
ケース３２は、浄化剤Ｃを収納する容器である。浄化剤Ｃは、例えば化合物を液体が透過可能な容器に収納した形態を有する。本実施形態では、ケース３２は、両端が開放され、側面に少なくとも１つの開口３２Ａが形成された筒状体である。また、ケース３２は、プレート３１の上に配置されている。そのため、ケース３２は上方と側方とに開口を有する。
【００３４】
ケース３２は、平面視で、プレート３１の衝突面３１Ａと重なるように配置されている。つまり、ケース３２の下端は、プレート３１によって塞がれている。また、浄化剤Ｃは、プレート３１の上面に載置されている。
【００３５】
取込配管１１Ａから液体Ｌ中に放出された燃焼排ガスは、プレート３１の衝突面３１Ａに衝突することで流れの向きが変えられ、整流面３１Ｂに向かって流動する。その後、燃焼排ガスは、整流面３１Ｂの複数の貫通孔３１Ｃを通って、細かい気泡に分割されながら液体Ｌ中を上方に移動する。
【００３６】
このように、取込配管１１Ａから放出される燃焼排ガスは、浄化剤Ｃに接触する前にプレート３１によって分散される。プレート３１は、浄化剤Ｃの収納位置よりも取込配管１１Ａに対して燃焼排ガスの流れ方向における上流側に配置されている。プレート３１は、第１液体貯留タンク３内において、浄化剤Ｃよりも手前で燃焼排ガスを分散する。なお、分散された燃焼排ガスは、必ずしも浄化剤Ｃに接触する必要はない。
【００３７】
この燃焼排ガスの流れによって、図２に破線で示すように、液体Ｌにおいて、プレート３１の整流面３１Ｂから上方に向かい、液面付近で第１液体貯留タンク３の中央に向きを変え、さらにケース３２の内側を通りながらプレート３１に向かう流れが形成される。この流れは、ケース３２内の浄化剤Ｃと接触しながら第１液体貯留タンク３内を循環する。
このように、プレート３１及びケース３２は、燃焼排ガスの分散によって、浄化剤Ｃに向かう液体Ｌの流れを形成する。
【００３８】
また、上述の液体Ｌの流れは、燃焼排ガスがプレート３１の衝突面３１Ａに衝突した後、整流面３１Ｂを介して浄化剤Ｃに供給される。これにより、液体Ｌの流れが浄化剤Ｃを下方に押圧するため、浄化剤Ｃがケース３２の外に流動することが抑制される。そのため、浄化剤Ｃは、ケース３２又はプレート３１に固定されなくてもよい。なお、上述の液体Ｌの流れは、燃焼排ガスの流れに比べてエネルギーが小さいため、袋を損傷して浄化剤Ｃを分解させるおそれは少ない。
【００３９】
ケース３２は、浄化剤Ｃを収納した状態で、第１液体貯留タンク３から取り出し可能に構成されている。つまり、浄化剤Ｃは、第１液体貯留タンク３から取り出し可能に構成された容器内に保持されている。そのため、浄化剤Ｃの交換時には、第１液体貯留タンク３からケース３２を取り出し、新たな浄化剤Ｃを収納したケース３２を第１液体貯留タンク３内に配置することで、浄化剤Ｃが交換される。なお、ケース３２は、図４に示すように、側面がメッシュ状又は多孔状の筒状体であってもよい。
【００４０】
また、第１液体貯留タンク３には、図１に示すように、排水路１７が設けられている。排水路１７は、液体Ｌの液位が上昇した際に、液圧によって液体Ｌを第１液体貯留タンク３の外部に排出することで、液体Ｌの液位を一定に保つための流路である。
【００４１】
本実施形態では、排水路１７には、開閉弁１７Ａが設けられている。開閉弁１７Ａは、液体Ｌの液位の上昇に合わせて開状態とされる。開閉弁１７Ａとしては、例えばチャッキ弁（つまり逆止弁）が使用できる。
【００４２】
さらに、図１に示すように、第１液体貯留タンク３には、液体Ｌを冷却するための冷却空気流路１２が接続されている。冷却空気流路１２は、冷却空気を液体Ｌ中に供給することで、液体Ｌを冷却する冷却機構である。冷却空気流路１２は、冷却配管１２Ａと、開閉弁１２Ｂとを有する。
【００４３】
冷却配管１２Ａは、一方の端部が第１液体貯留タンク３内の液体Ｌ中に配置されている。冷却配管１２Ａの他方の端部は、図示しない冷却空気の供給源に接続されている。
開閉弁１２Ｂは、冷却配管１２Ａ内に取り付けられている。開閉弁１２Ｂは、冷却配管１２Ａによる冷却空気の供給時に開けられる。開閉弁１２Ｂは、例えばソレノイド弁を用いることができる。
【００４４】
第１液体貯留タンク３内の液体Ｌ中に供給された冷却空気は、第２取込流路１３によって、第２液体貯留タンク４内の液体Ｌ中に供給される。つまり、冷却空気流路１２から供給される冷却空気は、第１液体貯留タンク３内の液体Ｌと第２液体貯留タンク４内の液体Ｌとを冷却する。
【００４５】
＜第２液体貯留タンク＞
第２液体貯留タンク４は、第１液体貯留タンク３を通過した燃焼排ガスを再度冷却及び浄化するための装置である。つまり、二酸化炭素施用装置１は、燃焼排ガスを２段階で冷却及び浄化する。
【００４６】
第２液体貯留タンク４は、内部に第１液体貯留タンク３と同様の液体Ｌを貯留している。また、第２液体貯留タンク４は、第１液体貯留タンク３の液体Ｌ中を通過した燃焼排ガスを取り込み、取り込んだ燃焼排ガスが液体Ｌ中を通過するように構成されている。
【００４７】
具体的には、第２液体貯留タンク４には、第２取込流路１３が接続されており、第２取込流路１３から液体Ｌ中に燃焼排ガスが取り込まれる。液体Ｌを通過した燃焼排ガスは、供給流路１５によって、吸着タンク６に供給される。第２液体貯留タンク４には、第１液体貯留タンク３と同様のプレート及びケース（図示省略）、並びに排水路１７が設けられている。なお、第２取込流路１３の取込配管１３Ａ内には、第２液体貯留タンク４内の液面と同じ位置まで液体Ｌが進入している。
【００４８】
供給流路１５は、液体中を通過した燃焼排ガスを液体貯留タンクの下流側の吸着タンク６を介して農業用ハウス内又は農業ハウス外に供給するように構成されている。供給流路１５は、第１供給配管１５Ａと、第２供給配管１５Ｂと、排出流路１６とを有する。第１供給配管１５Ａは、第２液体貯留タンク４内の液面よりも上方の空間に一方の端部が配置されている。第１供給配管１５Ａの他方の端部は、第２供給配管１５Ｂと、後述する施用配管１４Ａとに接続されている。
【００４９】
＜ブロワ＞
ブロワ５は、供給流路１５に設けられ、第１液体貯留タンク３及び第２液体貯留タンク４の液体中を通過した燃焼排ガスを液体貯留タンクの下流側に導くように構成された機器（つまり吸引器）である。本実施形態では、ブロワ５は、燃焼排ガスを吸着タンク６、農業用ハウス内及び農業用ハウス外に供給する。ブロワ５は、供給流路１５の第２供給配管１５Ｂに配置されている。
【００５０】
二酸化炭素の吸着工程では、ブロワ５の運転により、第１液体貯留タンク３及び第２液体貯留タンク４内が負圧となり、燃焼装置２で発生した燃焼排ガスが第１液体貯留タンク３及び第２液体貯留タンク４を経由して吸着タンク６に圧送される。
【００５１】
＜吸着タンク＞
吸着タンク６は、燃焼排ガス中の二酸化炭素を吸着する吸着材が内部に配置されている。二酸化炭素の吸着工程では、ブロワ５によって供給された燃焼排ガス中の二酸化炭素が吸着材によって吸着される。吸着材としては、例えば活性炭、ゼオライト等の多孔質材料などが使用できる。
【００５２】
一方、二酸化炭素の施用工程では、施用空気流路１４から施用空気が吸着タンク６内に供給され、吸着材から二酸化炭素が脱離する。脱離した二酸化炭素は、排出流路１６を介して農業用ハウス内に施用される。
【００５３】
なお、本実施形態では、施用空気流路１４は供給流路１５に接続されている。具体的には、施用空気流路１４と供給流路１５とは第２供給配管１５Ｂを共有している。また、施用空気流路１４は、施用配管１４Ａと、開閉弁１４Ｂとを有する。
【００５４】
施用配管１４Ａは、一方の端部が第２供給配管１５Ｂに接続されている。施用配管１４Ａの他方の端部は、大気に開放している。開閉弁１４Ｂは、施用配管１４Ａ内に取り付けられている。開閉弁１４Ｂは、施用配管１４Ａによる施用空気の供給時に開けられる。開閉弁１４Ｂは、例えばソレノイド弁を用いることができる。
【００５５】
施用配管１４Ａから流入した施用空気の流入圧力は、第２液体貯留タンク４の液面を押し下げる圧力よりも小さいため、施用空気は供給流路１５に導かれる。
【００５６】
＜制御部＞
制御部７は、二酸化炭素施用装置１の運転を制御する装置である。具体的には、制御部７は、ブロワ５の運転及び停止の制御、ソレノイド弁の開閉の制御等を行う。
【００５７】
［１−２．効果］
以上詳述した実施形態によれば、以下の効果が得られる。
（１ａ）プレート３１によって液体貯留タンクの液体Ｌ内に圧送される燃焼排ガスの勢いが低減されるので、燃焼排ガスがバブリング時に激しく浄化剤Ｃに衝突することが避けられる。これにより、浄化剤Ｃが袋の損傷により分解したり、液体貯留タンク内を回動したりすることが抑制され、浄化剤Ｃが含む化合物の液体貯留タンク内での分散が抑制される。その結果、液体貯留タンクにおける浄化剤の早期の消耗を抑制できる。
【００５８】
（１ｂ）プレート３１とケース３２とによって、浄化剤Ｃに向かう液体Ｌの流れが形成されるので、浄化剤Ｃの分解及び回動を抑制しつつ、液体Ｌへの化合物の供給効率を高めることができる。その結果、燃焼排ガスの浄化効果を高めることができる。
【００５９】
（１ｃ）浄化剤Ｃを収納するケース３２が液体貯留タンクから取り出し可能とされているので、浄化剤Ｃの分解及び回動を抑制しつつ、浄化剤Ｃの交換作業の効率を高めることができる。
【００６０】
（１ｄ）プレート３１の衝突面３１Ａに衝突した燃焼排ガスが、整流面３１Ｂの複数の貫通孔３１Ｃを通過することで小さい体積の気泡に分割される。そのため、燃焼排ガスと液体Ｌとの接触面積が増大し、燃焼排ガスの浄化効果が高められる。
【００６１】
［２．第２実施形態］
［２−１．構成］
図５は、第２実施形態の二酸化炭素施用装置における第１液体貯留タンク３Ａと取込配管１１Ｂとを示す図である。第２実施形態の二酸化炭素施用装置において、第１液体貯留タンク３Ａと取込配管１１Ｂ以外の構成については図１の二酸化炭素施用装置１と同様であるため、これらの構成の説明は省略する。
【００６２】
第１液体貯留タンク３Ａは、第１取込流路１１が有する取込配管１１Ｂの配置と、整流部の構成とを除いて、図１の二酸化炭素施用装置１における第１液体貯留タンク３と同様の構成である。
【００６３】
本実施形態では、取込配管１１Ｂは、第１液体貯留タンク３Ａの側面を貫通し、第１液体貯留タンク３Ａ内において、鉛直方向に交差する方向に延伸している。取込配管１１Ｂの開口端は、液体Ｌ中に配置され、第１液体貯留タンク３Ａの側面と対向している。
【００６４】
また、本実施形態では、浄化剤Ｃは、ケース３４に保持され、第１液体貯留タンク３Ａの底面と取込配管１１Ｂとの間に配置されている。なお、浄化剤Ｃは、第１液体貯留タンク３Ａ又は取込配管１１Ｂに固定されてもよいし、固定されなくてもよい。
【００６５】
第１液体貯留タンク３Ａは、整流部として、取込配管１１Ｂの開口端を塞ぐプレート３３を有する。プレート３３における取込配管１１Ｂの内側の面は、取込配管１１Ｂから放出される燃焼排ガスが衝突する衝突面を構成する。
【００６６】
また、取込配管１１Ｂの側壁のうち液体Ｌ中に配置された部分には、複数の貫通孔１１Ｃが設けられている。各貫通孔１１Ｃの径は、取込配管１１Ｂの内径よりも小さい。
取込配管１１Ｂ内を流れてきた燃焼排ガスは、放出されるべき取込配管１１Ｂの開口端においてプレート３３に衝突する。プレート３３に衝突した燃焼排ガスは、複数の貫通孔１１Ｃによって分割されながら、液体Ｌ中に供給される。
【００６７】
このように、プレート３３によって、浄化剤Ｃよりも手前（つまり、燃焼排ガスの流れ方向における上流側）で取込配管１１Ｂから放出される燃焼排ガスが分散される。
また、複数の貫通孔１１Ｃの一部は、浄化剤Ｃと対向する位置に形成されている。そのため、複数の貫通孔１１Ｃから放出される燃焼排ガスによって、取込配管１１Ｂの下側に配置された浄化剤Ｃに向かう液体Ｌの流れが生じる。
【００６８】
［２−２．効果］
以上詳述した実施形態によれば、以下の効果が得られる。
（２ａ）取込配管１１Ｂの開口端を塞ぐプレート３３によって、取込配管１１Ｂから放出される燃焼排ガスが分散される。そのため、浄化剤Ｃが含む化合物の液体貯留タンク内での分散が抑制される。
【００６９】
（２ｂ）燃焼排ガスが取込配管１１Ｂの複数の貫通孔１１Ｃを通過することで小さい体積の気泡に分割される。そのため、燃焼排ガスと液体Ｌとの接触面積が増大し、燃焼排ガスの浄化効果が高められる。
【００７０】
［３．他の実施形態］
以上、本開示の実施形態について説明したが、本開示は、上記実施形態に限定されることなく、種々の形態を採り得ることは言うまでもない。
【００７１】
（３ａ）上記実施形態の二酸化炭素施用装置１において、液体Ｌを貯留する液体貯留タンクの数は１つでもよい。また、二酸化炭素施用装置１は、３つ以上の液体貯留タンクを備えてもよい。
【００７２】
（３ｂ）上記実施形態の二酸化炭素施用装置１において、整流部は、必ずしも燃焼排ガスの分散によって浄化剤Ｃに向かう液体Ｌの流れを形成する必要はない。例えば、プレート３１は、少なくとも衝突面３１Ａを有すればよく、必ずしも整流面３１Ｂを有する必要はない。また、ケース３２の上面が必ずしも開口していなくてもよい。
【００７３】
（３ｃ）上記実施形態の二酸化炭素施用装置１において、整流部は、液体貯留タンク内において、浄化剤Ｃよりも手前で取込配管から放出される燃焼排ガスを分散できるものであれば、上述の構成に限定されない。例えば、プレート３１，３３の衝突面に微細な貫通孔が形成されていてもよい。また、プレート３１，３３以外の部材によって、燃焼排ガスを分散してもよい。
【００７４】
（３ｄ）上記実施形態の二酸化炭素施用装置１において、ケース３２は、必ずしも液体貯留タンクから取り出し可能に構成される必要はない。また、浄化剤Ｃは、ケース３２とは異なる形状で、かつ液体貯留タンクから取り出し可能な容器に収納されてもよい。
【００７５】
（３ｅ）上記実施形態の二酸化炭素施用装置１において、液体貯留タンクを通過した燃焼排ガスをブロワ５によって直接農業用ハウス内に供給してもよい。
【００７６】
（３ｆ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００７７】
１…二酸化炭素施用装置、２…燃焼装置、３，３Ａ…第１液体貯留タンク、
４…第２液体貯留タンク、５…ブロワ、６…吸着タンク、７…制御部、
１０…排ガス流路、１１…第１取込流路、１１Ａ，１１Ｂ…取込配管、
１１Ｃ…貫通孔、１２…冷却空気流路、１２Ａ…冷却配管、１２Ｂ…開閉弁、
１３…第２取込流路、１３Ａ…取込配管、１４…施用空気流路、１４Ａ…施用配管、
１４Ｂ…開閉弁、１５…供給流路、１５Ａ…第１供給配管、１５Ｂ…第２供給配管、
１６…排出流路、１７…排水路、１７Ａ…開閉弁、３１…プレート、３１Ａ…衝突面、
３１Ｂ…整流面、３１Ｃ…貫通孔、３２…ケース、３２Ａ…開口、３３…プレート、
３４…ケース。
【図１】
2019041648.tif 000003
【図２】
2019041648.tif 000004
【図３】
2019041648.tif 000005
【図４】
2019041648.tif 000006
【図５】
2019041648.tif 000007